(57)【特許請求の範囲】
【請求項１】
自端末宛のデータとは異なる、基地局が他の移動端末へ送信した他端末宛データを受信するデータ受信部と、
前記他端末宛データを前記他の移動端末が正常に受信できなかったことを示す否定応答を前記他の移動端末から受信する応答受信部と、
前記応答受信部によって受信された否定応答に基づいて、前記データ受信部によって受信された前記他端末宛データを前記他の移動端末へ送信するデータ送信部と、
を備えることを特徴とする移動端末。
【請求項２】
前記データ受信部によって受信された他端末宛データを記憶する記憶部を備え、
前記データ送信部は、前記記憶部によって記憶された他端末宛データを前記他の移動端末へ送信することを特徴とする請求項１に記載の移動端末。
【請求項３】
前記応答受信部によって前記他の移動端末からの否定応答を受信したことを示す受信情報を前記基地局へ送信する受信情報送信部と、
前記受信情報送信部によって送信された受信情報に基づいて前記基地局から送信された再送依頼信号を受信する依頼受信部と、を備え、
前記データ送信部は、前記依頼受信部によって前記再送依頼信号が受信された場合に前記他端末宛データを送信することを特徴とする請求項１または２に記載の移動端末。
【請求項４】
前記他の移動端末との間の通信品質を測定する測定部を備え、
前記受信情報送信部は、前記受信情報とともに、前記測定部によって測定された通信品質を示す品質情報を送信することを特徴とする請求項３に記載の移動端末。
【請求項５】
基地局が自端末へ送信したデータを受信する第一データ受信部と、
前記第一データ受信部によって前記データが正常に受信できなかったことを示す否定応答を送信する応答送信部と、
前記データを受信した他の移動端末が前記応答送信部からの否定応答に基づいて送信した前記データを受信する第二データ受信部と、
を備えることを特徴とする移動端末。
【請求項６】
自端末宛のデータとは異なる、他端末宛のデータを受信する複数の移動端末と通信を行う基地局において、
前記複数の移動端末を宛先とする各データを送信するデータ送信部と、
前記データ送信部によって送信された各データに対する前記複数の移動端末からの肯定応答および否定応答を受信する応答受信部と、
前記応答受信部による受信結果に基づいて、前記否定応答の送信元の否定端末へのデータの再送を依頼する再送依頼信号を、前記肯定応答の送信元の肯定端末へ送信する依頼送信部と、
を備えることを特徴とする基地局。
【請求項７】
複数の移動端末を宛先とする各データを送信する基地局と、
自端末宛のデータとは異なる、前記基地局が他の移動端末へ送信した他端末宛データを受信し、前記他の移動端末から送信された前記他端末宛データに対する否定応答に基づいて前記他の移動端末へ前記他端末宛データを送信する移動端末と、
を含むことを特徴とする通信システム。
【請求項８】
基地局が、複数の移動端末を宛先とする各データを送信し、
移動端末が、自端末宛のデータとは異なる、前記基地局が他の移動端末へ送信した他端末宛データを受信し、前記他の移動端末から送信された前記他端末宛データに対する否定応答に基づいて前記他の移動端末へ前記他端末宛データを送信することを特徴とする通信方法。
【請求項９】
自端末宛のデータとは異なる、基地局が他の移動端末へ送信した他端末宛データを受信するデータ受信部と、
前記他端末宛データを前記他の移動端末が正常に受信できなかったことを示す否定応答を前記他の移動端末から受信する応答受信部と、
前記他の移動端末との間の通信品質を測定する測定部と、
前記応答受信部によって受信された否定応答に基づいて、前記測定部によって測定された通信品質が閾値以上である場合に、前記データ受信部によって受信された前記他端末宛データを前記他の移動端末へ送信するデータ送信部と、
を備えることを特徴とする移動端末。
【請求項１０】
前記測定部は、前記応答受信部によって受信された否定応答の受信品質を前記通信品質として測定することを特徴とする請求項９に記載の移動端末。
【発明の詳細な説明】
【技術分野】
【０００１】
本発明は、無線通信を行う移動端末、基地局、通信システムおよび通信方法に関する。
【背景技術】
【０００２】
現在、一般的なセルラシステムにおいては、基地局と無線端末（たとえば移動端末）との間で直接通信を行うシングルホップ通信が用いられている。近年、シングルホップ通信に加えて、無線端末が他の無線端末のトラフィックを中継するマルチホップ通信が検討されている（たとえば、下記特許文献１参照。）。
【０００３】
また、移動無線通信の分野では、無線伝送区間における誤りを補償する誤り補償技術が用いられている（たとえば、下記特許文献２参照。）。誤り補償技術としては、たとえばＡＲＱ（Ａｕｔｏｍａｔｉｃ  Ｒｅｐｅａｔ  Ｒｅｑｕｅｓｔ：自動再送制御）がある。ＡＲＱでは、送信パケットに付加した誤り検出符号を用いてパケット毎に誤り検出を行う。そして、誤りがなければ送信側にＡＣＫ信号を返して次のパケットを要求し、誤りがある場合はＮＡＣＫ信号を返してパケットの再送を要求する。
【０００４】
さらに、ＡＲＱの再送回数を少なくするために、近年ではＨＡＲＱ（Ｈｙｂｒｉｄ  ＡＲＱ）が使用されている。ＨＡＲＱでは、受信側で誤りを検出した場合に、受信パケットを保持し、再送要求後に送信される再送パケットと合成して復調することによって、再送時の受信特性を改善する。
【先行技術文献】
【特許文献】
【０００５】
【特許文献１】特開２００４−２４８２１０号公報
【特許文献２】特開２００６−０６６９４８号公報
【発明の概要】
【発明が解決しようとする課題】
【０００６】
しかしながら、上述した従来技術では、データを効率よく伝送することができない場合がある。たとえば、マルチホップ通信では、移動端末による中継を行うことによってデータの伝送遅延が生じる。また、シングルホップ通信では、誤りが発生した場合に基地局からデータを再送することになるため基地局の無線リソースが圧迫される。
【０００７】
開示の移動端末、基地局、通信システムおよび通信方法は、上述した問題点を解消するものであり、データを効率よく伝送することを目的とする。
【課題を解決するための手段】
【０００８】
上述した課題を解決し、目的を達成するため、開示技術は、基地局が他の移動端末へ送信した他端末宛データを受信し、前記他端末宛データを前記他の移動端末が正常に受信できなかったことを示す否定応答を前記他の移動端末から受信し、受信した否定応答に基づいて、受信した前記他端末宛データを前記他の移動端末へ送信する。
【発明の効果】
【０００９】
開示の移動端末、基地局、通信システムおよび通信方法によれば、データを効率よく伝送することができるという効果を奏する。
【図面の簡単な説明】
【００１０】
【図１−１】実施の形態にかかる通信システムを示すブロック図である。
【図１−２】図１−１に示した通信システムの変形例を示すブロック図である。
【図１−３】図１−２に示した通信システムの変形例を示すブロック図である。
【図２−１】通信システムの動作例を示す図（その１）である。
【図２−２】通信システムの動作例を示す図（その２）である。
【図２−３】通信システムの動作例を示す図（その３）である。
【図２−４】通信システムの動作例を示す図（その４）である。
【図２−５】通信システムの動作例を示す図（その５）である。
【図３】移動端末の構成例を示すブロック図である。
【図４】移動端末の動作の一例を示すフローチャートである。
【図５】基地局の構成例を示すブロック図である。
【図６】基地局の動作の一例を示すフローチャートである。
【図７−１】同一の無線リソースによるデータの再送を示す図（その１）である。
【図７−２】同一の無線リソースによるデータの再送を示す図（その２）である。
【図７−３】同一の無線リソースによるデータの再送を示す図（その３）である。
【図７−４】同一の無線リソースによるデータの再送を示す図（その４）である。
【発明を実施するための形態】
【００１１】
以下に添付図面を参照して、開示の移動端末、基地局、通信システムおよび通信方法の好適な実施の形態を詳細に説明する。開示の移動端末、基地局、通信システムおよび通信方法は、移動端末が、基地局からの他端末宛データを記憶しておき、他端末からの否定応答に基づいて他端末宛データを送信する。これにより、基地局から直接送信されたデータの再送を移動端末から行い、データを効率よく伝送することができる。
【００１２】
（実施の形態）
（通信システムの構成例）
図１−１は、実施の形態にかかる通信システムを示すブロック図である。図１−１に示すように、実施の形態にかかる通信システム１００は、基地局１１０と、移動端末１２０と、移動端末１３０と、を含んでいる。基地局１１０は、移動端末１２０，１３０を宛先とする各データを送信する基地局である。移動端末１２０，１３０は、基地局１１０のセル内に位置しており、基地局１１０との間で通信を行う。また、移動端末１２０，１３０は互いに通信可能な距離に位置している。
【００１３】
移動端末１２０は、基地局１１０が移動端末１３０へ送信した他端末宛データを受信する移動端末である。また、移動端末１２０は、移動端末１３０から送信された他端末宛データに対する否定応答に基づいて移動端末１３０へ他端末宛データを送信する。具体的には、移動端末１２０は、データ受信部１２１と、記憶部１２２と、応答受信部１２３と、データ送信部１２４と、を備えている。
【００１４】
データ受信部１２１は、基地局１１０が移動端末１３０へシングルホップにより直接送信したデータ（他端末宛データ）を受信する。データ受信部１２１は、受信したデータを記憶部１２２へ出力する。また、移動端末１２０は、たとえば図示しない送信部により、データ受信部１２１によって受信された移動端末１２０宛のデータに対する応答信号を基地局１１０へ送信する。ここでは、データ受信部１２１によって移動端末１２０宛のデータが正常に受信され、移動端末１２０から基地局１１０へ肯定応答が送信されるとする。
【００１５】
記憶部１２２は、データ受信部１２１から出力された移動端末１３０宛のデータ（他端末宛データ）を記憶する。また、記憶部１２２は、データ受信部１２１によって自端末宛データとともに受信された他端末宛データを記憶し、データ受信部１２１によって自端末宛データとは別に受信された他端末宛データは記憶しないようにしてもよい。これにより、データ受信部１２１において他端末宛データを記憶する頻度を低くし、移動端末１２０の処理負担を軽減することができる。また、記憶部１２２は、他端末宛データを復号されていない状態で記憶するようにしてもよい。これにより、他端末宛データの復号が不要となるため、移動端末１２０の処理負担を軽減することができる。
【００１６】
応答受信部１２３は、移動端末１３０宛のデータを移動端末１３０が正常に受信できなかったことを示す否定応答を移動端末１３０から受信する。たとえば、応答受信部１２３は、移動端末１３０から基地局１１０宛に送信された否定応答を受信する。応答受信部１２３は、受信した否定応答をデータ送信部１２４へ出力する。
【００１７】
データ送信部１２４は、応答受信部１２３によって受信された否定応答に基づいて、記憶部１２２によって記憶された移動端末１３０宛のデータを移動端末１３０へ送信する（再送データ）。たとえば、データ送信部１２４は、応答受信部１２３から否定応答が出力されると、否定応答の送信元である移動端末１３０宛のデータを記憶部１２２から読み出し、読み出したデータを移動端末１３０へ送信する。
【００１８】
移動端末１３０は、第一データ受信部１３１と、応答送信部１３２と、第二データ受信部１３３と、を備えている。第一データ受信部１３１は、基地局１１０が移動端末１３０へシングルホップにより直接送信したデータを受信する。第一データ受信部１３１は、データを正常に受信できたか否かを示す受信結果を応答送信部１３２へ出力する。
【００１９】
応答送信部１３２は、第一データ受信部１３１から出力された受信結果に基づく応答信号を送信する。具体的には、応答送信部１３２は、移動端末１３０宛のデータがデータ受信部１２１によって正常に受信できなかった場合に、第一データ受信部１３１によってデータが正常に受信できなかったことを示す否定応答を送信する。第一データ受信部１３１によって送信された否定応答は基地局１１０および移動端末１２０によって受信される。
【００２０】
第二データ受信部１３３は、移動端末１３０宛のデータを受信した移動端末１２０（他の移動端末）が応答送信部１３２から否定応答に基づいて送信したデータ（再送データ）を受信する。これにより、移動端末１３０は、基地局１１０から正常に受信できなかったデータを、移動端末１２０から受信することができる。
【００２１】
図１−２は、図１−１に示した通信システムの変形例を示すブロック図である。図１−２において、図１−１に示した構成と同様の構成については同一の符号を付して説明を省略する。図１−２に示すように、移動端末１２０は、図１−１に示した構成に加えて測定部１２５を備えていてもよい。
【００２２】
測定部１２５は、移動端末１２０と移動端末１３０との間の通信品質を測定する。たとえば、測定部１２５は、応答受信部１２３から出力された移動端末１３０からの否定応答の受信品質を通信品質として測定する。これにより、測定部１２５は、移動端末１３０との間の通信品質を簡単に測定することができる。ただし、測定部１２５は、移動端末１２０と移動端末１３０との間で送受信される参照信号などに基づいて通信品質を測定してもよい。測定部１２５は、測定した通信品質をデータ送信部１２４へ出力する。
【００２３】
データ送信部１２４は、測定部１２５から出力された通信品質と閾値の比較結果に基づいて他端末宛データを送信する。具体的には、データ送信部１２４は、通信品質が閾値以上である場合は移動端末１３０宛のデータを移動端末１３０へ送信し、通信品質が閾値未満である場合は移動端末１３０宛のデータを移動端末１３０へ送信しない。
【００２４】
これにより、データ送信部１２４は、移動端末１２０と移動端末１３０との間の通信品質が良好な場合に移動端末１３０へのデータの再送を行うことができる。データ送信部１２４は、移動端末１２０と移動端末１３０との間の通信品質が良好でない場合は、移動端末１３０へのデータの再送を行わないことで、移動端末１２０における送信処理の負担および移動端末１３０における受信処理の負担を軽減することができる。
【００２５】
図１−３は、図１−２に示した通信システムの変形例を示すブロック図である。図１−３において、図１−２に示した構成と同様の構成については同一の符号を付して説明を省略する。図１−３に示すように、移動端末１２０は、図１−２に示した構成に加えて受信情報送信部１２６および依頼受信部１２７を備えていてもよい。応答受信部１２３は、受信した否定応答を受信情報送信部１２６へ出力する。測定部１２５は、測定した通信品質を受信情報送信部１２６へ出力する。
【００２６】
受信情報送信部１２６は、応答受信部１２３から出力された否定応答に基づいて、応答受信部１２３によって移動端末１３０からの否定応答を受信したことを示す受信情報を基地局１１０へ送信する。また、受信情報送信部１２６は、測定部１２５から出力された通信品質と閾値を比較し、比較結果に基づいて受信情報を送信してもよい。具体的には、受信情報送信部１２６は、通信品質が閾値以上である場合は受信情報を基地局１１０へ送信し、通信品質が閾値未満である場合は受信情報を基地局１１０へ送信しない。
【００２７】
また、受信情報送信部１２６は、受信情報とともに、測定部１２５から出力された通信品質を示す品質情報を基地局１１０へ送信してもよい。これにより、基地局１１０において、移動端末１２０と移動端末１３０との間の通信品質に基づいて、移動端末１３０へのデータの再送を移動端末１２０へ依頼するか否かを判断することが可能になる。
【００２８】
依頼受信部１２７は、受信情報送信部１２６によって送信された受信情報に基づいて基地局１１０から送信された再送依頼信号を受信する。依頼受信部１２７は、受信した再送依頼信号をデータ送信部１２４へ出力する。
【００２９】
データ送信部１２４は、依頼受信部１２７から出力された再送依頼信号に基づいて他端末宛データを送信する。具体的には、データ送信部１２４は、移動端末１３０へのデータの再送を移動端末１２０に依頼することを示す再送依頼信号が依頼受信部１２７から出力された場合に、移動端末１３０宛のデータを移動端末１３０へ送信する。
【００３０】
基地局１１０は、他端末宛データを受信する複数の移動端末（移動端末１２０，１３０）と通信を行う基地局である。具体的には、基地局１１０は、データ送信部１１１と、応答受信部１１２と、受信情報受信部１１３と、依頼送信部１１４と、を備えている。データ送信部１１１は、移動端末１２０，１３０を宛先とする各データを送信する。
【００３１】
応答受信部１１２は、データ送信部１１１によって送信された各データに対する移動端末１２０，１３０からの応答信号を受信する。ここでは、応答受信部１１２は、移動端末１２０からの肯定応答と、移動端末１３０からの否定応答と、を受信する。応答受信部１１２は、受信した応答信号を依頼送信部１１４へ出力する。
【００３２】
受信情報受信部１１３は、肯定応答の送信元の移動端末１２０から、否定応答の送信元の移動端末１３０からの否定応答を受信したことを示す受信情報を受信する。受信情報受信部１１３は、受信した受信情報を依頼送信部１１４へ出力する。また、受信情報受信部１１３は、受信情報とともに、受信情報の送信元の移動端末１２０と否定応答の送信元の移動端末１３０との間の通信品質を示す品質情報を受信してもよい。受信情報受信部１１３は、受信した品質情報を依頼送信部１１４へ出力する。
【００３３】
依頼送信部１１４は、応答受信部１１２から出力された応答信号に基づいて、否定応答の送信元の移動端末１３０に対するデータの再送を依頼する再送依頼信号を、肯定応答の送信元の移動端末１２０へ送信する。また、依頼送信部１１４は、受信情報受信部１１３から出力された受信情報の送信元の移動端末１２０へ再送依頼信号を送信するようにしてもよい。これにより、肯定信号の送信元の移動端末のうちの移動端末１３０との間で通信可能な移動端末に対して再送依頼信号を送信することができる。
【００３４】
また、依頼送信部１１４は、受信情報の送信元の移動端末（たとえば移動端末１２０を含む）のうちの、受信情報受信部１１３から出力された品質情報に基づいて選択された移動端末へ再送依頼信号を送信するようにしてもよい。これにより、受信情報の送信元の移動端末のうちの、移動端末１３０との間の通信品質が良好な移動端末（たとえば移動端末１２０）に対して再送依頼信号を送信することができる。
【００３５】
このように、移動端末１２０が受信情報を基地局１１０へ送信し、受信情報に基づいて基地局１１０が送信した再送依頼信号に基づいて移動端末１２０が移動端末１３０へのデータの再送を行う。これにより、移動端末１３０に対するデータの再送を、移動端末１２０および他の移動端末のいずれが行うかを基地局１１０によって管理することができる。
【００３６】
このため、移動端末１３０からの否定応答を受信した複数の移動端末から移動端末１３０へデータが再送されたりすることを回避することができる。また、移動端末１２０が受信信号とともに品質情報を基地局１１０へ送信することで、移動端末１３０との間の通信品質が良好な移動端末を基地局１１０において選択し、選択した移動端末によって移動端末１３０へのデータの再送を行うことができる。
【００３７】
（各処理部のハードウェア構成例）
図１−１〜図１−３に示した基地局１１０、移動端末１２０，１３０の各処理部のハードウェア構成例について説明する。移動端末１２０のデータ受信部１２１、応答受信部１２３、データ送信部１２４、受信情報送信部１２６および依頼受信部１２７は、たとえばＤＳＰ（Ｄｉｇｉｔａｌ  Ｓｉｇｎａｌ  Ｐｒｏｃｅｓｓｏｒ）などの演算手段および無線通信インターフェースによって実現することができる。また、移動端末１２０の記憶部１２２は、たとえばメモリによって実現することができる。また、移動端末１２０の測定部１２５は、たとえばＤＳＰなどの演算手段によって実現することができる。
【００３８】
移動端末１３０の第一データ受信部１３１、応答送信部１３２および第二データ受信部１３３は、たとえばＤＳＰなどの演算手段および無線通信インターフェースによって実現することができる。基地局１１０のデータ送信部１１１、応答受信部１１２、受信情報受信部１１３および依頼送信部１１４は、たとえばＤＳＰなどの演算手段および無線通信インターフェースによって実現することができる。
【００３９】
（通信システムの動作例）
図２−１〜図２−５は、通信システムの動作例を示す図である。図２−１〜図２−５において、実線矢印はトラフィックを示している。また、点線矢印は制御情報を示している。図２−１〜図２−５に示す例では、通信システム２００は、基地局＃０と、移動端末＃１〜＃４と、を含んでいる。基地局＃０には、たとえば図１−１〜図１−３に示した基地局１１０を適用することができる。
【００４０】
まず、図２−１に示すように、基地局＃０が、移動端末＃１〜＃４を宛先とする各データを多重した無線信号を送信する。移動端末＃１〜＃４のそれぞれは、基地局＃０からの無線信号を受信する。そして、移動端末＃１〜＃４のそれぞれは、受信した無線信号から自端末宛データを抽出し、抽出した自端末宛データの復号および誤り判定を行う。
【００４１】
図２−１に示す例では、移動端末＃３においては自端末（移動端末＃３）宛のデータの誤りが検出され、移動端末＃１，＃２，＃４においては自端末宛データの誤りが検出されなかったとする。また、移動端末＃１〜＃４のそれぞれは、受信した無線信号に含まれる他端末宛データを一時的に記憶する。たとえば、移動端末＃２は、受信した無線信号に含まれる移動端末＃１，＃３，＃４を宛先とする各データを一時的に記憶する。
【００４２】
つぎに、移動端末＃１〜＃４のそれぞれは、自端末宛データに誤りがある場合は、基地局＃０および周辺の移動端末へＮＡＣＫ信号（否定応答）を送信する。一方、移動端末＃１〜＃４のそれぞれは、自端末宛データに誤りがない場合は、基地局＃０へＡＣＫ信号（肯定応答）を送信する。また、移動端末＃１〜＃４のそれぞれは、自端末宛データに誤りがない場合は、周辺の移動端末からのＮＡＣＫ信号を受信し、受信したＮＡＣＫ信号の受信品質を測定する。
【００４３】
以下、自端末宛データに誤りがありＮＡＣＫ信号を送信する移動端末をＮＡＣＫ端末（否定端末）と称する。また、自端末宛データに誤りがなくＡＣＫ信号を送信する移動端末をＡＣＫ端末（肯定端末）と称する。図２−１に示す例では、移動端末＃３がＮＡＣＫ端末となり、移動端末＃１，＃２，＃４がＡＣＫ端末となる。したがって、移動端末＃３には、たとえば図１−１〜図１−３に示した移動端末１３０を適用することができる。また、移動端末＃１，＃２，＃４には、たとえば図１−１〜図１−３に示した移動端末１２０を適用することができる。
【００４４】
つぎに、図２−２に示すように、移動端末＃３はＮＡＣＫ信号を送信する。また、移動端末＃１，＃２，＃４は、移動端末＃３からのＮＡＣＫ信号を受信し、受信したＮＡＣＫ信号の受信品質を測定する。
【００４５】
つぎに、図２−３に示すように、ＡＣＫ端末である移動端末＃１，＃２，＃４が、移動端末＃３からのＮＡＣＫ信号を受信したことを示す受信情報を基地局＃０へ送信する。移動端末＃１，＃２，＃４が送信する受信情報には、たとえば移動端末＃３からのＮＡＣＫ信号の受信品質の測定結果を示す品質情報が含まれている。たとえば、移動端末＃１，＃２，＃４は、基地局＃０に対するＡＣＫ信号とともに受信情報を送信してもよいし、基地局＃０に対するＡＣＫ信号を兼ねた信号として受信情報を送信してもよい。
【００４６】
つぎに、図２−４に示すように、基地局＃０が、ＡＣＫ端末である移動端末＃１，＃２，＃４から受信した受信情報に基づいて、再送先および再送元を選択する。図２−４に示す例では、基地局＃０は、ＮＡＣＫ端末である移動端末＃３を再送先として選択する。また、基地局＃０は、ＡＣＫ端末である移動端末＃１，＃２，＃４のうちの移動端末＃２を再送元として選択する。そして、基地局＃０は、再送元として選択した移動端末＃２に対して再送依頼信号を送信する。
【００４７】
つぎに、図２−５に示すように、基地局＃０から再送依頼信号を受信した移動端末＃２が、基地局＃０から受信し一時的に記憶しておいた移動端末＃３を宛先とするデータを読み出し、読み出したデータを移動端末＃３へ送信する。このように、通信システム２００によれば、新規データについては基地局＃０から宛先の移動端末＃３へ直接送信するとともに、再送データは他の移動端末＃２から移動端末＃３へ送信することができる。
【００４８】
（移動端末の構成例）
図３は、移動端末の構成例を示すブロック図である。図３に示すように、移動端末３００は、無線受信部３１０と、受信信号処理部３２０と、受信データバッファ部３３０と、誤り検出部３４０と、ＮＡＣＫ端末検出部３５０と、通信品質測定部３６０と、送信信号処理部３７０と、無線送信部３８０と、ＤＬ／ＵＬ制御部３９０と、を備えている。
【００４９】
無線受信部３１０は、基地局５００（図５参照）からの無線信号を受信する。また、無線受信部３１０は、周辺の他の移動端末からの無線信号を受信する。無線受信部３１０は、受信した信号を受信信号処理部３２０へ出力する。
【００５０】
受信信号処理部３２０は、無線受信部３１０から出力された信号の受信処理を行う。具体的には、受信信号処理部３２０は、無線受信部３１０から出力された信号に含まれる各データを、自端末宛データと他端末宛データに区別して取得する。たとえば、受信信号処理部３２０は、信号に含まれる制御信号を復号することによって、各データが自端末宛データおよび他端末宛データのいずれであるかを区別する。
【００５１】
受信信号処理部３２０は、取得した自端末宛データを復号し、復号した自端末宛データを誤り検出部３４０へ出力する。また、受信信号処理部３２０は、取得した他端末宛データを受信データバッファ部３３０へ出力する。たとえば、受信信号処理部３２０は、他端末宛データを復号しない状態で受信データバッファ部３３０へ出力する。
【００５２】
また、受信信号処理部３２０は、無線受信部３１０からの信号に含まれるＮＡＣＫ信号を取得し、取得したＮＡＣＫ信号をＮＡＣＫ端末検出部３５０へ出力する。また、受信信号処理部３２０は、無線受信部３１０からの信号に含まれる移動端末３００宛の再送依頼信号を取得し、取得した再送依頼信号を送信信号処理部３７０へ出力する。
【００５３】
また、受信信号処理部３２０は、移動端末３００と基地局５００との間の通信品質を測定する第二測定部の機能を有していてもよい。たとえば、受信信号処理部３２０は、移動端末３００と基地局５００との間で送受信する参照信号に基づいて通信品質を測定する。また、受信信号処理部３２０は、測定した通信品質と閾値を比較し、移動端末３００と基地局５００との間の通信品質が良好であるか否かを判定する。
【００５４】
受信データバッファ部３３０は、受信信号処理部３２０から出力された他端末宛データを記憶する。誤り検出部３４０は、受信信号処理部３２０から出力された自端末宛データに誤りがあるか否かを判定し、判定結果を送信信号処理部３７０およびＤＬ／ＵＬ制御部３９０へ出力する。誤り検出部３４０によって出力される判定結果は、たとえば、自端末宛データに誤りがない旨またはある旨の判定結果である。
【００５５】
ＮＡＣＫ端末検出部３５０は、受信信号処理部３２０から出力されるＮＡＣＫ信号に基づいて、移動端末３００の周辺のＮＡＣＫ端末を検出する。ＮＡＣＫ端末検出部３５０は、検出したＮＡＣＫ端末からＮＡＣＫ信号を受信したことを示す受信情報を送信信号処理部３７０へ出力する。
【００５６】
また、ＮＡＣＫ端末検出部３５０は通信品質測定部３６０を備えている。通信品質測定部３６０は、ＮＡＣＫ端末検出部３５０において検出されたＮＡＣＫ端末と移動端末３００との間の通信品質を測定する。たとえば、通信品質測定部３６０は、ＮＡＣＫ端末検出部３５０から出力されたＮＡＣＫ信号の受信品質を通信品質として測定する。ＮＡＣＫ端末検出部３５０は、通信品質測定部３６０によって測定された通信品質を示す品質情報を含む受信情報を送信信号処理部３７０へ出力する。
【００５７】
また、ＮＡＣＫ端末検出部３５０は、通信品質測定部３６０によって測定された通信品質と閾値を比較し、通信品質が閾値以上のＮＡＣＫ端末に関する受信情報を送信信号処理部３７０へ出力するようにしてもよい。この場合は、ＮＡＣＫ端末検出部３５０は、通信品質が閾値未満のＮＡＣＫ端末に関する受信情報は出力しない。
【００５８】
送信信号処理部３７０は、基地局５００および周辺の移動端末への信号の送信処理を行う。たとえば、送信信号処理部３７０は、自端末宛データに誤りがある旨の判定結果が誤り検出部３４０から出力されると、自端末宛データに対するＮＡＣＫ信号（否定応答）を無線送信部３８０へ出力する。
【００５９】
また、送信信号処理部３７０は、自端末宛データに誤りがない旨の判定結果が誤り検出部３４０から出力されると、自端末宛データに対するＡＣＫ信号（肯定応答）を無線送信部３８０へ出力する。また、送信信号処理部３７０は、ＡＣＫ信号とともに、ＮＡＣＫ端末検出部３５０から出力された受信情報を無線送信部３８０へ出力する。
【００６０】
また、送信信号処理部３７０は、受信信号処理部３２０から再送依頼信号が出力されると、再送依頼信号が示す再送先を宛先とする他端末宛データを受信データバッファ部３３０から読み出し、読み出した他端末宛データを無線送信部３８０へ出力する。また、再送依頼信号には、データの再送のための無線リソースの情報が含まれている。送信信号処理部３７０は、再送依頼信号が示す無線リソースによって他端末宛データが送信されるように無線送信部３８０を制御する。
【００６１】
無線送信部３８０は、送信信号処理部３７０から送信された信号を基地局５００や周辺の他の移動端末へ送信する。ＤＬ／ＵＬ制御部３９０は、無線受信部３１０による信号の受信と、無線送信部３８０における信号の送信と、を制御する。たとえば、ＤＬ／ＵＬ制御部３９０は、データに誤りがない旨の判定結果が誤り検出部３４０から出力されると、周辺の端末からのＮＡＣＫ信号を受信するように無線受信部３１０を制御する。
【００６２】
受信データバッファ部３３０は、移動端末３００の図示しない制御部の制御により、誤り検出部３４０によってデータに誤りがあると判定された場合に、記憶した他端末宛データを破棄してもよい。また、受信データバッファ部３３０は、移動端末３００の制御部の制御により、受信信号処理部３２０によって自端末と基地局５００との間の通信品質が閾値未満であると判断された場合に、記憶した他端末宛データを破棄してもよい。
【００６３】
（移動端末の動作例）
図４は、移動端末の動作の一例を示すフローチャートである。移動端末３００は、たとえば以下の各ステップを繰り返し行う。まず、無線受信部３１０が、基地局５００からの無線信号を受信する（ステップＳ４０１）。つぎに、受信信号処理部３２０が、ステップＳ４０１によって受信された無線信号に自端末宛データ（新規データ）が含まれているか否かを判断する（ステップＳ４０２）。
【００６４】
ステップＳ４０２において、無線信号に自端末宛データが含まれていない場合（ステップＳ４０２：Ｎｏ）は、移動端末３００は、ステップＳ４０１に戻って処理を続行する。これにより、自端末宛データとは別に受信された他端末宛データについては記憶しないようにすることができる。無線信号に自端末宛データが含まれている場合（ステップＳ４０２：Ｙｅｓ）は、受信信号処理部３２０が、自端末宛データを復号する（ステップＳ４０３）。また、受信データバッファ部３３０が、ステップＳ４０１において受信した無線信号に含まれる他端末宛データを記憶する（ステップＳ４０４）。
【００６５】
つぎに、誤り検出部３４０が、ステップＳ４０３によって復号された自端末宛データに誤りがあるか否かを判定する（ステップＳ４０５）。自端末宛データに誤りがある場合（ステップＳ４０５：Ｙｅｓ）は、受信データバッファ部３３０が、ステップＳ４０４によって記憶された他端末宛データを破棄する（ステップＳ４０６）。
【００６６】
つぎに、無線送信部３８０が、基地局５００および周辺の移動端末へＮＡＣＫ信号を送信する（ステップＳ４０７）。つぎに、ＤＬ／ＵＬ制御部３９０の制御により、無線受信部３１０が自端末宛データの再送待ち状態へ移行する（ステップＳ４０８）。つぎに、無線受信部３１０が、周辺のＡＣＫ端末から再送された自端末宛データを受信し（ステップＳ４０９）、一連の動作を終了する。
【００６７】
ステップＳ４０５において、自端末宛データに誤りがない場合（ステップＳ４０５：Ｎｏ）は、受信信号処理部３２０が、自端末と基地局５００との間の通信品質が閾値以上か否かを判断する（ステップＳ４１０）。基地局５００との間の通信品質が閾値以上でない場合（ステップＳ４１０：Ｎｏ）は、受信データバッファ部３３０が、ステップＳ４０４によって記憶された他端末宛データを破棄する（ステップＳ４１１）。つぎに、無線送信部３８０が、ステップＳ４０３によって復号された自端末宛データに対するＡＣＫ信号を基地局５００へ送信し（ステップＳ４１２）、一連の動作を終了する。
【００６８】
ステップＳ４１０において基地局５００との間の通信品質が閾値以上である場合（ステップＳ４１０：Ｙｅｓ）は、無線受信部３１０が、周辺のＮＡＣＫ端末からのＮＡＣＫ信号を受信する（ステップＳ４１３）。つぎに、通信品質測定部３６０が、ステップＳ４１３によって受信されたＮＡＣＫ信号に基づく通信品質を測定する（ステップＳ４１４）。
【００６９】
つぎに、ＮＡＣＫ端末検出部３５０が、ステップＳ４１４によって測定された通信品質が閾値以上のＮＡＣＫ端末があるか否かを判断する（ステップＳ４１５）。通信品質が閾値以上のＮＡＣＫ端末がない場合（ステップＳ４１５：Ｎｏ）は、移動端末３００は、ステップＳ４１１へ移行する。
【００７０】
ステップＳ４１５において、通信品質が閾値以上のＮＡＣＫ端末がある場合（ステップＳ４１５：Ｙｅｓ）は、無線送信部３８０が、ＡＣＫ信号と受信情報とを基地局５００へ送信する（ステップＳ４１６）。ステップＳ４１６によって送信されるＡＣＫ信号は、ステップＳ４０３によって復号された自端末宛データに対するＡＣＫ信号である。受信情報は、通信品質が閾値以上のＮＡＣＫ端末に関する受信情報である。
【００７１】
つぎに、無線受信部３１０が、基地局５００からの無線信号を受信する（ステップＳ４１７）。つぎに、受信信号処理部３２０が、ステップＳ４１７によって受信された無線信号に自端末宛の再送依頼信号が含まれているか否かを判断する（ステップＳ４１８）。無線信号に自端末宛の再送依頼信号が含まれていない場合（ステップＳ４１８：Ｎｏ）は、移動端末３００は、一連の動作を終了する。
【００７２】
ステップＳ４１８において自端末宛の再送依頼信号が含まれている場合（ステップＳ４１８：Ｙｅｓ）は、無線送信部３８０が、ステップＳ４０４によって記憶された他端末宛データをＮＡＣＫ端末へ再送し（ステップＳ４１９）、一連の動作を終了する。
【００７３】
（基地局の構成例）
図５は、基地局の構成例を示すブロック図である。図５に示すように、基地局５００は、スケジューラ５１０と、送信信号処理部５２０と、無線送信部５３０と、無線受信部５４０と、受信信号処理部５５０と、端末情報管理部５６０と、を備えている。
【００７４】
スケジューラ５１０は、基地局５００と各移動端末（たとえば移動端末３００を含む）との間の無線通信のスケジューリングを行う。たとえば、スケジューラ５１０は、各移動端末へデータを送信するための無線リソースを決定する。スケジューラ５１０は、スケジューリング結果を送信信号処理部５２０へ出力する。
【００７５】
また、スケジューラ５１０は、送信信号処理部５２０および無線送信部５３０によって送信されたデータに対する移動端末からの応答信号に基づいて再送制御を行う。具体的には、スケジューラ５１０は、端末情報管理部５６０に管理されているＡＣＫ端末に対する次のデータの送信をスケジューリングする。また、スケジューラ５１０は、端末情報管理部５６０に管理されているＮＡＣＫ端末に対するデータの再送をスケジューリングする。
【００７６】
また、スケジューラ５１０は端末選択部５１１を備えている。端末選択部５１１は、端末情報管理部５６０に管理されているＡＣＫ端末の中から、端末情報管理部５６０に管理されているＮＡＣＫ端末へのデータの再送を依頼するＡＣＫ端末を選択する。たとえば、端末選択部５１１は、端末情報管理部５６０に管理されている品質情報が示す通信品質が高いＡＣＫ端末ほど、ＮＡＣＫ端末へのデータの再送を依頼するＡＣＫ端末として優先的に選択する。
【００７７】
スケジューラ５１０は、端末選択部５１１によって再送元として選択されたＡＣＫ端末を宛先とし、再送先のＮＡＣＫ端末を示す情報が含まれる再送依頼信号を送信信号処理部５２０へ出力する。送信信号処理部５２０へ出力された再送依頼信号は、再送元として選択したＡＣＫ端末へ無線送信部５３０によって送信される。
【００７８】
また、スケジューラ５１０は、再送先のＮＡＣＫ端末および再送元のＡＣＫ端末が異なる複数の再送依頼信号を出力してもよい。たとえば、スケジューラ５１０は、第一のＮＡＣＫ端末への第一の再送を第一のＡＣＫ端末に依頼する再送依頼信号と、第二のＮＡＣＫ端末への第二の再送を第二のＡＣＫ端末に依頼する再送依頼信号と、を出力する。
【００７９】
また、スケジューラ５１０は、第一のＡＣＫ端末が第二のＮＡＣＫ端末から遠い場合に、第二の再送に対して第一の再送と同じ無線リソースを割り当てる割当部としての機能を備えていてもよい。スケジューラ５１０は、第一のＡＣＫ端末が第二のＮＡＣＫ端末から遠くない場合には、第二の再送に対して第一の再送と異なる無線リソースを割り当てる。
【００８０】
たとえば、スケジューラ５１０は、第一のＡＣＫ端末が送信した受信情報に第二のＮＡＣＫ端末に関する受信情報が含まれていない場合に、第一のＡＣＫ端末が第二のＮＡＣＫ端末から遠いと判断する。また、スケジューラ５１０は、第一のＡＣＫ端末が送信した受信情報に第二のＮＡＣＫ端末に関する受信情報が含まれている場合に、第一のＡＣＫ端末が第二のＮＡＣＫ端末から遠くないと判断する。
【００８１】
また、スケジューラ５１０は、再送先のＮＡＣＫ端末を宛先とし、再送元のＡＣＫ端末を示す情報と、データの再送に割り当てた無線リソースを示す情報と、が含まれる割当情報を送信信号処理部５２０へ出力する。送信信号処理部５２０へ出力された割当情報は、再送先のＮＡＣＫ端末へ無線送信部５３０によって送信される。
【００８２】
送信信号処理部５２０は、スケジューラ５１０から出力されたスケジューリング結果に基づく送信信号の処理を行う。具体的には、送信信号処理部５２０は、基地局５００のセル内に位置する各移動端末を宛先とする各データを多重した信号を無線送信部５３０へ出力する。また、送信信号処理部５２０は、スケジューラ５１０から出力された再送依頼信号や割当情報を無線送信部５３０へ出力する。
【００８３】
無線送信部５３０は、送信信号処理部５２０からの信号を無線信号として基地局５００のセル内に位置する各移動端末へ送信する。無線受信部５４０は、基地局５００のセル内に位置する各移動端末からの無線信号を受信する。無線受信部５４０は、受信した信号を受信信号処理部５５０へ出力する。
【００８４】
受信信号処理部５５０は、無線受信部５４０から出力された受信信号の処理を行う。具体的には、受信信号処理部５５０は、受信信号に含まれる、無線送信部５３０によって送信された無線信号に含まれる各データに対する各移動端末からの応答信号（ＮＡＣＫ信号やＡＣＫ信号）を取得する。また、受信信号処理部５５０は、ＡＣＫ信号を送信したＡＣＫ端末から送信された受信情報を取得する。受信信号処理部５５０は、取得したＮＡＣＫ信号、ＡＣＫ信号および受信情報を端末情報管理部５６０へ出力する。
【００８５】
端末情報管理部５６０は、受信信号処理部５５０から出力されたＮＡＣＫ信号およびＡＣＫ信号に基づいて、基地局５００のセル内に位置するＡＣＫ端末とＮＡＣＫ端末の情報を管理する。また、端末情報管理部５６０は、受信信号処理部５５０から出力された受信情報に基づいて、受信情報の送信元のＡＣＫ端末や、受信情報の送信元のＡＣＫ端末とＮＡＣＫ端末との間の通信品質を示す品質情報を管理する。
【００８６】
（基地局の動作例）
図６は、基地局の動作の一例を示すフローチャートである。基地局５００は、たとえば以下の各ステップを繰り返し行う。まず、無線送信部５３０が、各移動端末を宛先とする各データを含む無線信号を各移動端末へ送信する（ステップＳ６０１）。つぎに、無線受信部５４０が、ステップＳ６０１によって送信された各データに対する応答信号（ＮＡＣＫ信号またはＡＣＫ信号）を各移動端末から受信する（ステップＳ６０２）。
【００８７】
また、無線受信部５４０が、ＡＣＫ端末から送信された受信情報を受信する（ステップＳ６０３）。つぎに、スケジューラ５１０が、ＮＡＣＫ端末へのデータの再送のための無線リソースを決定する（ステップＳ６０４）。つぎに、端末選択部５１１が、ステップＳ６０２においてＮＡＣＫ信号を受信したＮＡＣＫ端末の中から再送先のＮＡＣＫ端末を選択する（ステップＳ６０５）。ただし、以前のステップＳ６０５において選択済みのＮＡＣＫ端末は選択候補から除外する。
【００８８】
つぎに、端末選択部５１１が、ステップＳ６０２においてＡＣＫ信号を受信したＡＣＫ端末が存在するか否かを判断する（ステップＳ６０６）。ＡＣＫ端末が存在しない場合（ステップＳ６０６：Ｎｏ）は、端末選択部５１１が、自局を再送元として選択する（ステップＳ６０７）。つぎに、端末選択部５１１が、ステップＳ６０２においてＮＡＣＫ信号を受信したＮＡＣＫ端末のうちの、ステップＳ６０５によって未選択のＮＡＣＫ端末が存在するか否かを判断する（ステップＳ６０８）。
【００８９】
ステップＳ６０８において、未選択のＮＡＣＫ端末が存在しない場合（ステップＳ６０８：Ｎｏ）は、基地局５００はステップＳ６１２へ移行する。未選択のＮＡＣＫ端末が存在する場合（ステップＳ６０８：Ｙｅｓ）は、基地局５００はステップＳ６０５へ戻る。
【００９０】
ステップＳ６０６において、ＡＣＫ端末が存在する場合（ステップＳ６０６：Ｙｅｓ）は、端末選択部５１１が、ＡＣＫ端末の中から再送元のＡＣＫ端末を選択する（ステップＳ６０９）。つぎに、端末選択部５１１が、ステップＳ６０５によって未選択のＮＡＣＫ端末が存在するか否かを判断する（ステップＳ６１０）。
【００９１】
ステップＳ６１０において、未選択のＮＡＣＫ端末が存在する場合（ステップＳ６１０：Ｙｅｓ）は、端末選択部５１１が、未選択のＮＡＣＫ端末のうちの、ステップＳ６０９によって選択された再送元のＡＣＫ端末から遠いＮＡＣＫ端末が存在するか否かを判断する（ステップＳ６１１）。
【００９２】
ステップＳ６１１において、端末選択部５１１は、たとえば、あるＮＡＣＫ端末からのＮＡＣＫ信号を受信した旨の受信情報をＡＣＫ端末から受信した場合は、そのＮＡＣＫ端末はＡＣＫ信号から遠いＮＡＣＫ端末でないと判断する。また、端末選択部５１１は、あるＮＡＣＫ端末からのＮＡＣＫ信号を受信した旨の受信情報をＡＣＫ端末から受信した場合は、そのＮＡＣＫ端末はＡＣＫ信号から遠いＮＡＣＫ端末であると判断する。
【００９３】
ステップＳ６１１において、再送元のＡＣＫ端末から遠いＮＡＣＫ端末が存在する場合（ステップＳ６１１：Ｙｅｓ）は、基地局５００はステップＳ６０５へ戻る。この場合は、ステップＳ６０４によって無線リソースが新たに決定されないため、前回決定した無線リソースと同一の無線リソースによって再送がスケジューリングされる。
【００９４】
ステップＳ６１１において、再送元のＡＣＫ端末から遠いＮＡＣＫ端末が存在しない場合（ステップＳ６１１：Ｎｏ）は、基地局５００はステップＳ６０４へ戻る。この場合は、ステップＳ６０４によって無線リソースが新たに決定されるため、前回決定した無線リソースとは異なる無線リソースによって再送がスケジューリングされる。
【００９５】
ステップＳ６１０において、未選択のＮＡＣＫ端末が存在しない場合（ステップＳ６１０：Ｎｏ）は、無線送信部５３０が、ステップＳ６０９によって選択された再送元のＡＣＫ端末へ再送依頼信号を送信する（ステップＳ６１２）。なお、ステップＳ６０７によって自局が送信元として選択されたＮＡＣＫ端末についての再送依頼信号はＡＣＫ端末へ送信しなくてよい。また、無線送信部５３０が、ステップＳ６０５によって選択された再送先のＮＡＣＫ端末へ割当情報を送信し（ステップＳ６１３）、一連の動作を終了する。
【００９６】
図７−１〜図７−４は、同一の無線リソースによるデータの再送を示す図である。図７−１〜図７−４において、図２−１〜図２−５と同様の部分については同一の符号を付して説明を省略する。ここでは、移動端末＃１，＃４がＮＡＣＫ端末であり、移動端末＃２，＃３がＡＣＫ端末であるとする。
【００９７】
そして、図７−１に示すように、移動端末＃１から送信されたＮＡＣＫ信号は、移動端末＃１から近い移動端末＃２において受信され、移動端末＃１から遠い移動端末＃３においては受信されなかったとする。また、移動端末＃４から送信されたＮＡＣＫ信号は、移動端末＃４から近い移動端末＃３において受信され、移動端末＃４から遠い移動端末＃２においては受信されなかったとする。
【００９８】
つぎに、図７−２に示すように、移動端末＃２が、移動端末＃１からのＮＡＣＫ信号を受信したことを示す受信情報を基地局＃０へ送信する。また、移動端末＃３が、移動端末＃４からのＮＡＣＫ信号を受信したことを示す受信情報を基地局＃０へ送信する。
【００９９】
つぎに、図７−３に示すように、基地局＃０が、移動端末＃１へのデータの再送を依頼する再送依頼信号を移動端末＃２へ送信する。また、基地局＃０が、移動端末＃４へのデータの再送を依頼する再送依頼信号を移動端末＃３へ送信する。
【０１００】
このとき、基地局＃０は、移動端末＃２から受信した受信情報に移動端末＃４に関する受信情報が含まれていないため、移動端末＃４への再送に移動端末＃１への再送と同一の無線リソースを割り当てる。具体的には、基地局＃０は、同一の無線リソースを示す情報を含む再送依頼信号を移動端末＃２および移動端末＃３へ送信する。
【０１０１】
つぎに、図７−４に示すように、移動端末＃２が移動端末＃１へのデータの再送を行う。また、移動端末＃３が移動端末＃４へのデータの再送を行う。このとき、移動端末＃２，＃３による各再送は同一の無線リソースによって行われる。これに対して、移動端末＃３は移動端末＃１から遠いため、移動端末＃３から移動端末＃１への干渉７０１は小さい。また、移動端末＃２は移動端末＃４から遠いため、移動端末＃２から移動端末＃４への干渉７０２は小さい。このため、移動端末＃２，＃３による各再送が同一の無線リソースによって行われても、各再送の間の干渉を抑えることができる。
【０１０２】
以上説明したように、移動端末、基地局、通信システムおよび通信方法によれば、新規データについては基地局から宛先の移動端末へ直接送信するとともに、再送データは他の移動端末から宛先の移動端末へ送信することができる。これにより、新規データの伝送遅延が抑えられるとともに、再送データが発生した場合における基地局の無線リソースの圧迫が軽減される。このため、データを効率よく伝送することができる。
【０１０３】
上述した実施の形態に関し、さらに以下の付記を開示する。
【０１０４】
（付記１）基地局が他の移動端末へ送信した他端末宛データを受信するデータ受信部と、
前記他端末宛データを前記他の移動端末が正常に受信できなかったことを示す否定応答を前記他の移動端末から受信する応答受信部と、
前記応答受信部によって受信された否定応答に基づいて、前記データ受信部によって受信された前記他端末宛データを前記他の移動端末へ送信するデータ送信部と、
を備えることを特徴とする移動端末。
【０１０５】
（付記２）前記データ受信部によって受信された他端末宛データを記憶する記憶部を備え、
前記データ送信部は、前記記憶部によって記憶された他端末宛データを前記他の移動端末へ送信することを特徴とする付記１に記載の移動端末。
【０１０６】
（付記３）前記他の移動端末との間の通信品質を測定する測定部を備え、
前記データ送信部は、前記測定部によって測定された通信品質が閾値以上である場合に前記他端末宛データを送信することを特徴とする付記１または２に記載の移動端末。
【０１０７】
（付記４）前記測定部は、前記応答受信部によって受信された否定応答の受信品質を前記通信品質として測定することを特徴とする付記３に記載の移動端末。
【０１０８】
（付記５）前記応答受信部によって前記他の移動端末からの否定応答を受信したことを示す受信情報を前記基地局へ送信する受信情報送信部と、
前記受信情報送信部によって送信された受信情報に基づいて前記基地局から送信された再送依頼信号を受信する依頼受信部と、を備え、
前記データ送信部は、前記依頼受信部によって前記再送依頼信号が受信された場合に前記他端末宛データを送信することを特徴とする付記１〜４のいずれか一つに記載の移動端末。
【０１０９】
（付記６）前記他の移動端末との間の通信品質を測定する測定部を備え、
前記受信情報送信部は、前記受信情報とともに、前記測定部によって測定された通信品質を示す品質情報を送信することを特徴とする付記５に記載の移動端末。
【０１１０】
（付記７）前記基地局との間の通信品質を測定する第二測定部を備え、
前記データ送信部は、前記第二測定部によって測定された通信品質が閾値以上である場合に前記他端末宛データを送信することを特徴とする付記１〜６のいずれか一つに記載の移動端末。
【０１１１】
（付記８）前記記憶部は、自端末宛のデータとともに送信された前記他端末宛データを記憶することを特徴とする付記２に記載の移動端末。
【０１１２】
（付記９）前記記憶部は、前記他端末宛データを復号されていない状態で記憶することを特徴とする付記２に記載の移動端末。
【０１１３】
（付記１０）基地局が自端末へ送信したデータを受信する第一データ受信部と、
前記第一データ受信部によって前記データが正常に受信できなかったことを示す否定応答を送信する応答送信部と、
前記データを受信した他の移動端末が前記応答送信部からの否定応答に基づいて送信した前記データを受信する第二データ受信部と、
を備えることを特徴とする移動端末。
【０１１４】
（付記１１）他端末宛のデータを受信する複数の移動端末と通信を行う基地局において、
前記複数の移動端末を宛先とする各データを送信するデータ送信部と、
前記データ送信部によって送信された各データに対する前記複数の移動端末からの肯定応答および否定応答を受信する応答受信部と、
前記応答受信部による受信結果に基づいて、前記否定応答の送信元の否定端末へのデータの再送を依頼する再送依頼信号を、前記肯定応答の送信元の肯定端末へ送信する依頼送信部と、
を備えることを特徴とする基地局。
【０１１５】
（付記１２）前記肯定端末が前記否定応答を受信したことを示す受信情報を前記肯定端末から受信する受信情報受信部を備え、
前記依頼送信部は、前記肯定端末のうちの、前記受信情報受信部によって受信された受信情報の送信元の肯定端末へ前記再送依頼信号を送信することを特徴とする付記１１に記載の基地局。
【０１１６】
（付記１３）前記受信情報受信部は、前記受信情報とともに、前記受信情報の送信元の肯定端末と前記否定端末との間の通信品質を示す品質情報を受信し、
前記依頼送信部は、前記受信情報の送信元の肯定端末のうちの、前記受信情報受信部によって受信された品質情報に基づいて選択された肯定端末へ前記再送依頼信号を送信することを特徴とする付記１２に記載の基地局。
【０１１７】
（付記１４）前記依頼送信部は、第一の前記否定端末への第一の再送を第一の前記肯定端末に依頼する再送依頼信号と、第二の前記否定端末への第二の再送を第二の前記肯定端末に依頼する再送依頼信号と、を送信し、
前記第一の肯定端末が送信した受信情報に前記第二の否定端末に関する受信情報が含まれていない場合に、前記第二の再送に対して前記第一の再送と同じ無線リソースを割り当てる割当部を備えることを特徴とする付記１２または１３に記載の基地局。
【０１１８】
（付記１５）複数の移動端末を宛先とする各データを送信する基地局と、
前記基地局が他の移動端末へ送信した他端末宛データを受信し、前記他の移動端末から送信された前記他端末宛データに対する否定応答に基づいて前記他の移動端末へ前記他端末宛データを送信する移動端末と、
を含むことを特徴とする通信システム。
【０１１９】
（付記１６）基地局が、複数の移動端末を宛先とする各データを送信し、
移動端末が、前記基地局が他の移動端末へ送信した他端末宛データを受信し、前記他の移動端末から送信された前記他端末宛データに対する否定応答に基づいて前記他の移動端末へ前記他端末宛データを送信することを特徴とする通信方法。
【符号の説明】
【０１２０】
１００，２００  通信システム
７０１，７０２  干渉
【図１−１】
0005476954.tif 000002
【図１−２】
0005476954.tif 000003
【図１−３】
0005476954.tif 000004
【図２−１】
0005476954.tif 000005
【図２−２】
0005476954.tif 000006
【図２−３】
0005476954.tif 000007
【図２−４】
0005476954.tif 000008
【図２−５】
0005476954.tif 000009
【図３】
0005476954.tif 000010
【図４】
0005476954.tif 000011
【図５】
0005476954.tif 000012
【図６】
0005476954.tif 000013
【図７−１】
0005476954.tif 000014
【図７−２】
0005476954.tif 000015
【図７−３】
0005476954.tif 000016
【図７−４】
0005476954.tif 000017